(57)【特許請求の範囲】
【請求項１】
筐体と、
この筐体の内部で該筐体の背面側に設置され、所定の間隔で互いが略平行となるように水平方向に並列する複数の薄板状のフィンを有する熱交換器と、
この熱交換器を通過し、前記筐体の正面に形成された吹出口から吹き出る空気流を生成する送風ファンと、
この送風ファンを回転駆動させるファンモータと、
このファンモータに一端が接続されるとともに他端側に前記送風ファンが装着され、前記ファンモータの回転駆動力を前記送風ファンに伝達するモータ軸と、
前記ファンモータを保持する支持部材と、を備え、
前記支持部材と前記ファンモータが、前記熱交換器の前記空気流における上流側に位置するとともに、前記送風ファンが、前記熱交換器の前記空気流における下流側に位置して、前記モータ軸が、前記熱交換器を前記空気流における上流側から下流側にかけて貫通するものであって、
前記モータ軸が前記熱交換器を貫通する貫通路が、特定の前記フィン間の間隙を境にしてそれぞれ左右に位置する複数のフィンが前記フィンの長手方向における所定の範囲だけ、当該間隙が広がるように湾曲されて形成されていることを特徴とする冷凍サイクル装置の室外機。
【請求項２】
筐体と、
この筐体の内部で該筐体の背面側に設置され、所定の間隔で互いが略平行となるように水平方向に並列する複数の薄板状のフィンを有する熱交換器と、
この熱交換器を通過し、前記筐体の正面に形成された吹出口から吹き出る空気流を生成する送風ファンと、
この送風ファンを回転駆動させるファンモータと、
このファンモータに一端が接続されるとともに他端側に前記送風ファンが装着され、前記ファンモータの回転駆動力を前記送風ファンに伝達するモータ軸と、
このファンモータを保持する支持部材と、を備え、
前記支持部材が、前記熱交換器の前記空気流における上流側に位置するとともに、前記ファンモータが、その一部分が前記空気流における上流側から前記熱交換器に、前記熱交換器を貫通しないように入り込んだ状態に配置され、前記送風ファンが、前記熱交換器の前記空気流における下流側に突き出た前記モータ軸の他端側に装着されて前記熱交換器の前記空気流における下流側に位置するものであって、
前記ファンモータの一部分が前記熱交換器に入り込む穴は、特定の前記フィン間の間隙を境にしてそれぞれ左右に位置する複数のフィンが前記フィンの長手方向における所定の範囲だけ、当該間隙が広がる方向に湾曲されて形成されていることを特徴とする冷凍サイクル装置の室外機。
【請求項３】
前記送風ファンは、円筒状のボスと、このボスの外周面に周方向に所定の間隔を空けて配置される複数の翼とから構成されるものであって、
前記吹出口を正面側から覆うように前記筐体に取り付けられる吹出グリルと、
この吹出グリルに固定された軸受と、を備え、
前記モータ軸の他端側が、前記ボスに接続されるとともに、前記ボスを貫通して前記ボスから前記空気流における下流側へと突出し、その突出した先端部が前記軸受に回転支持されていることを特徴とする請求項１または２に記載の冷凍サイクル装置の室外機。
【請求項４】
前記吹出グリルは、前記軸受が背面側を臨むように固定される正面視で略円形状をなす軸受ボスを有し、
前記軸受ボスは、前記送風ファンのボスとほぼ同心であるとともに、前記軸受ボスの外径が、前記送風ファンのボスの外径よりも小さく構成されていることを特徴とする請求項３に記載の冷凍サイクル装置の室外機。
【請求項５】
前記筐体は、当該筐体の底部をなす底板と、当該筐体の上面を覆う天面パネルを有し、
前記底板には、その周囲に前記天面パネルの方向に折り曲げられたフランジ部が形成されるとともに、前記天面パネルにはその周囲に前記底板の方向に折り曲げられたフランジ部が形成され、
前記支持部材が、前記熱交換器の前記空気流における上流側にて、前記底板のフランジ部と、前記天面パネルのフランジ部に跨がって固定されていることを特徴とする請求項１乃至４のいずれかに記載の冷凍サイクル装置の室外機。
【発明の詳細な説明】
【技術分野】
【０００１】
この発明は、熱交換器とこの熱交換器を通過する空気流を生成する送風ファンとを備えた、例えば空気調和機やヒートポンプ給湯機といった冷凍サイクル装置の室外機に関し、特に、送風ファンのファンモータを支持する支持部材の配置に関するものである。
【背景技術】
【０００２】
圧縮機で冷媒を圧縮して循環させ、熱交換器を介して低温熱源から吸熱し、高温熱源に排熱する圧縮機冷凍サイクル（ヒートポンプサイクル）を用いた冷凍サイクル装置は、そのエネルギー効率の高さから現在、社会に広く普及している。冷凍サイクル装置のなかで、屋外に機器を設置するものの代表として、空気調和機やヒートポンプ給湯機がある。この明細書では、冷凍サイクル装置にあって、熱交換器と、回転してこの熱交換器を通過する空気流を作り出す送風ファンとを有し、屋外に設置される機器を室外機と呼ぶこととする。
【０００３】
セパレート型の空気調和機であれば、室内に設置する室内機とあわせて、室外機という呼称が広く知られているが、ここでは、ヒートポンプ給湯機では一般的に熱源機と呼ばれている機器についても、室外機と呼ぶこととする。ヒートポンプ給湯機の熱源機においては、空気と熱交換して冷媒を蒸発させる蒸発器を担う熱交換器とそれに対応する送風ファンの部分が、セパレート型空気調和機の室外機の熱交換器と送風ファンに相当する。このうような室外機を、ここでは、冷凍サイクル装置の室外機と称することとする。
【０００４】
冷凍サイクル装置の代表機器である空気調和機の室内機のように、主に人が存在する空間（室内や事務所内）に設置される機器に対して、低騒音化の要求が高いことは周知のとおりであるが、屋外に置かれる室外機に対しても、住宅の密集化や夜間や早朝にも運転されることなどから、低騒音化の要求が高くなっている。ここでは、冷凍サイクル装置の室外機としているヒートポンプ給湯機の熱源機は、深夜電力を利用するため、深夜や早朝に運転状態となることが多く、特に低騒音化の要求が高い。
【０００５】
このような要求に応えるべく、冷凍サイクル装置である空気調和機の室外機の送風騒音を低減するために、送風ファンの回転駆動源であるファンモータを室外機の筐体内で保持する支持部材を、その全周が送風ファンの翼外径より内側（ファン中心側）に収まるように構成したものがある。（例えば、特許文献１参照）
【０００６】
従来一般的には、長方体である室外機の筐体（箱体）の内部で、フィンアンドチューブ型熱交換器と送風ファンの間に位置し、上下方向に伸びて箱体の天面パネルと底板に固定される板状部材として構成されていたファンモータ支持部材を、特許文献１では、プロペラファンである送風ファンの外径（翼の外径）よりも小さい大きさとし、熱交換器のフィン間にて熱交換器を水平方向に横断している伝熱管に嵌合させ、ファンモータ支持部材が送風ファンの外径よりも内側に位置するように構成している。
【０００７】
このような構成とすることで、筐体の天面パネルと底板とに固定されていたファンモータ支持部材では、ファンモータの上方と下方のそれぞれで生じていた送風ファンの翼先端部と支持部材との近接による空気流の乱れと、その乱れによってもたらされていた送風騒音の発生を回避し、室外機の低騒音化を図ったものである。
【先行技術文献】
【特許文献】
【０００８】
【特許文献１】特開平５−１９６２６４号公報（００１１〜００１５欄、図１〜３）
【発明の概要】
【発明が解決しようとする課題】
【０００９】
特許文献１では、空気調和機の室外機のファンモータ支持部材を送風ファン外径よりも内側に位置させることにより、回転する送風ファンの外周端部（翼の先端部）と支持部材との接近が繰り返されることを回避し、その接近による空気流の乱れを生じさせないようにすることはできる。しかし、ファンモータ支持部材が、熱交換器と送風ファンとの間に位置しているので、送風ファンの回転によって生成される空気流は、ファンモータ支持部材の下流側とファンモータ支持部材がない領域とで、一様な流れとはならない。
【００１０】
ファンモータ支持部材が位置している領域では、送風ファンの回転により生成され熱交換器を通過した空気流が、ファンモータ支持部材の外側（特許文献１の支持部材では、支持部材の上方および下方）を迂回してファンモータ支持部材の下流側へと回り込むようになる。一方で、ファンモータ支持部材が位置していない領域では、熱交換器を通過して送風ファンに至るまで連続的な空気流が形成される。
【００１１】
このため、ファンモータ支持部材が位置している領域の下流側と位置していない領域とでは、流れる空気流に大きな速度差が生じることとなる。そして、流速が速い方である位置していない領域を送風ファンに向かって流れる空気流の一部が、位置している領域、すなわちファンモータ支持部材の下流側へと流れ込み、そこに大きな渦が発生する。発生した渦は、ファンモータ支持部材と送風ファンの翼とが近距離であり、またファンモータ支持部材と送風ファンの翼との間にはそれを破壊するようなものが存在しないので、送風ファンへと向かう空気流に運ばれて、大きな渦のままで送風ファンへと流入する。すなわち、送風ファンの翼へと流入する空気流の途中に大きな渦が混ざることになる。
【００１２】
渦は空気流に対して圧力が低いので、途中に大きな渦が含まれていると、送風ファンの翼へ流入する空気流の圧力が安定的でなくなり、大きな圧力変動が伴われることとなる。そのため、送風ファンの翼の表面に大きな圧力変動が生じることとなって、騒音が発生してしまうという課題があった。
【００１３】
この発明は、上記のような課題を解決するためになされたもので、送風ファンに流入する空気流に大きな渦が含まれないようにして空気流の圧力変動を小さく抑え、送風ファンに流入する空気流の圧力変動に伴う騒音の発生を防止した低騒音な冷凍サイクル装置の室外機を提供することを目的とする。
【課題を解決するための手段】
【００１４】
この発明に係る冷凍サイクル装置の室外機は、筐体と、この筐体の内部で該筐体の背面側に設置され、所定の間隔で互いが略平行となるように水平方向に並列する複数の薄板状のフィンを有する熱交換器と、この熱交換器を通過し、筐体の正面に形成された吹出口から吹き出る空気流を生成する送風ファンと、この送風ファンを回転駆動させるファンモータと、このファンモータに一端が接続されるとともに他端側に送風ファンが装着され、ファンモータの回転駆動力を送風ファンに伝達するモータ軸と、ファンモータを保持する支持部材と、を備え、支持部材とファンモータが、熱交換器の前記空気流における上流側に位置するとともに、送風ファンが、熱交換器の前記空気流における下流側に位置して、モータ軸が、熱交換器を前記空気流における上流側から下流側にかけて貫通するものであって、モータ軸が熱交換器を貫通する貫通路が、特定のフィン間の間隙を境にしてそれぞれ左右に位置する複数のフィンがフィンの長手方向における所定の範囲だけ、当該間隙が広がるように湾曲されて形成されているものである。
【００１５】
また、この発明に係る冷凍サイクル装置の室外機は、筐体と、この筐体の内部で該筐体の背面側に設置され、所定の間隔で互いが略平行となるように水平方向に並列する複数の薄板状のフィンを有する熱交換器と、この熱交換器を通過し、筐体の正面に形成された吹出口から吹き出る空気流を生成する送風ファンと、この送風ファンを回転駆動させるファンモータと、このファンモータに一端が接続されるとともに他端側に送風ファンが装着され、ファンモータの回転駆動力を送風ファンに伝達するモータ軸と、このファンモータを保持する支持部材と、を備え、支持部材が、熱交換器の前記空気流における上流側に位置するとともに、ファンモータが、その一部分が前記空気流における上流側から熱交換器に、熱交換器を貫通しないように入り込んだ状態に配置され、送風ファンが、熱交換器の前記空気流における下流側に突き出たモータ軸の他端側に装着されて熱交換器の前記空気流における下流側に位置するものであって、ファンモータの一部分が熱交換器に入り込む穴は、特定のフィン間の間隙を境にしてそれぞれ左右に位置する複数のフィンがフィンの長手方向における所定の範囲だけ、当該間隙が広がる方向に湾曲されて形成されているものである。
【発明の効果】
【００１６】
この発明によれば、送風ファンに流入する空気流に大きな渦が含まれないようにして空気流の圧力変動を抑え、送風ファンに流入する空気流の圧力変動に伴う騒音の発生を防止した低騒音な冷凍サイクル装置の室外機を得ることができる。
【図面の簡単な説明】
【００１７】
【図１】この発明の実施の形態１における室外機の外観斜視図である。
【図２】図１の室外機の吹出グリルを取り外した状態の斜視図である。
【図３】図２の状態の室外機から天面パネルと正面パネルを取り外した状態の斜視図である。
【図４】図１の室外機の天面パネルと側面パネルを取り外した状態の上面図である。
【図５】図１の室外機の天面パネルを取り外した状態の背面側からの斜視図ある。
【図６】図１の室外機の背面側からの斜視図である。
【図７】図１の室外機に装着される送風ファンの単体斜視図である。
【図８】図１の室外機に設置されるファンモータ支持部材の単体斜視図である。
【図９】図１の室外機における熱交換器の貫通路およびモータ軸と貫通路の関係を説明するための説明用模式図である。
【図１０】従来の室外機を示す説明用模式図である。
【図１１】図１の室外機におけるファンモータ支持部材周辺の熱交換器を通過する空気流を説明する説明用模式図である。
【図１２】この発明の実施の形態２における室外機の天面パネルと側面パネルを取り外した状態の上面図である。
【図１３】この発明の実施の形態３における室外機の天面パネルと側面パネルを取り外した状態の上面図である。
【図１４】図１３に示す室外機の説明用斜視図である。
【発明を実施するための形態】
【００１８】
実施の形態１．
以下、本発明を実施するための冷凍サイクル装置の室外機について説明する。説明にあたって、冷凍サイクル装置の室外機の実施形態として、セパレート型の空気調和機の室外機を使用する。図１は、この実施の形態１を示す空気調和機（冷凍サイクル装置）の室外機１００の正面側からの外観斜視図であり、図２は、図１に示す室外機１００の吹出グリル３ａを取り外した状態での外観斜視図である。そして、図３は、図２の状態からさらに天面パネル２と正面パネル３を取り外した状態での外観斜視図である。
【００１９】
図４は、図１に示す室外機１００にて筐体の天面パネル２と側面パネル６を取り外した状態での上面図であり、図５は、室外機１００の天面パネル２を取り外した状態での背面側からの外観斜視図、図６は、室外機１００の背面側からの外観斜視図である。さらに、図７は、この室外機１００に設置される送風ファン１０の正面側からの単体斜視図であり、図８は、この室外機１００に設置されるファンモータ支持部材２０の背面側からの単体斜視図である。
【００２０】
この室外機１００は、建物の屋上を含めて屋外に設置されるものであり、屋内に設置された室内機（図示なし）と冷媒配管で接続されることで、冷媒が循環する冷凍サイクル回路が構成される。室外機１００と室内機とは、一方から他方へ電力を供給する電源線や互いに制御信号を送受信する通信線などのケーブルでも接続されている。
【００２１】
室外機１００の外郭を成す筐体（箱体）は、複数の板状板金部品が組み合わさって構成されており、その筐体の底部を担う底板１には、室外機１００の内部（筐体内部）を左右に区切る仕切板７が直立状に設置されている。この仕切板７によって、送風ファン１０と熱交換器３０を有するファン室Ｆと、冷媒を圧縮して冷凍サイクル回路に冷媒を循環させる圧縮機９が設置される機械室Ｍとに分けられている。
【００２２】
この熱交換器３０は、フィンアンドチューブ型熱交換器であり、室外機１００の上下方向に各々伸びる複数の金属製薄板状のフィン３４が、所定の間隔（間隙寸法Ｅ）で互いが略平行となるように水平方向に並列し、それらのフィン３４を水平方向に貫通しながら上下方向に複数列を成して挿設される金属製の伝熱管３５により構成されている（図９参照）。図４に示すように、熱交換器３０は、上面視で略Ｌ字状を呈している。そして、そのＬ字の長辺に該当する部分となる長辺部３１が、ファン室Ｆの背面側に位置し、Ｌ字の短辺に該当する短辺部３２が、ファン室Ｆの左側に位置する。長辺部３１と短辺部３２との間には、円弧状に曲がったコーナー部３３が位置している。平坦に形成された熱交換器を、コーナー部３３にて円弧状に約９０度折り曲げることで、上面視が略Ｌ字状の熱交換器３０が成形される。
【００２３】
機械室Ｍは、下部に圧縮機９が設置され、図示していないが、上部にこの室外機１００を運転制御するための電気電子部品を収めた電気品ユニットが配置される。電気品ユニットと圧縮機の間や圧縮機の側方といった機械室Ｍ内の空間には、冷凍サイクル回路を構成する膨張弁（減圧装置）や四方弁、冷凍サイクル回路をつなぐ冷媒配管、室内機への接続配管をつなぐ接続バルブなどが配置される。
【００２４】
室外機１００の筐体は、室外機１００を支える脚部１ａを底面に有し、筐体の底部をなす底板１の他、ファン室Ｆの正面と左側面の前側一部を覆うファン室正面パネル３、機械室Ｍの正面と右側面の前方半分を覆う機械室正面パネル４、機械室Ｍの背面と右側面の後方半分を覆う機械室背面パネル５、ファン室Ｆの左側面と背面の左側一部を覆う側面パネル６、ファン室Ｆと機械室Ｍとに跨がって室外機１００の上面を覆う天面パネル２により構成されており、これらはいずれも板金製である。なお、これらのパネルは、個々が分離しておらず、いくつかが一体的に成形されていても構わない。
【００２５】
矩形状の天面パネル２の四方周囲には、底板１の方向（下方）へ約９０度折り曲げられ、ファン室正面パネル３や機械室正面パネル４らの上端と重なり合うフランジ部２ａが形成される。また、矩形状の底板１の四方周囲にも、同様な天面パネル２の方向（上方）へ約９０度折り曲げられたフランジ部１ｂが形成されている。
【００２６】
側面パネル６には、外部から熱交換器３０に向かう空気流を通す通風孔６ａが多数設けられている。また、図２に示すように、ファン室正面パネル３には、送風ファン１０の翼外径よりも大きな内径を有してファン室Ｆと外部を連通し、送風ファン１０の回転によって生成される空気流を外部に向かって吹き出す吹出口３ａが設けられる。そして、円形の吹出口３ａの開口縁全周には、ファン室Ｆ内部に円筒状に突出して送風ファン１０からの吹出空気をガイドするベルマウス３ｂが一体的に形成されている。
【００２７】
回転する送風ファン１０との接触を防止するために、所定の間隔を空けて並ぶ複数の縦桟と横桟により構成され格子状に開口する吹出グリル８が、吹出口３ａをファン室正面パネル３の正面側から覆っている。吹出グリル８は、ファン室正面パネル３の正面に取り付けられ固定されている。
【００２８】
ここで、図１や図４に示すように、この実施形態の説明において、吹出グリル８が外部に面している方向を正面側として、その反対方向を背面側とする。そして、正面側と背面側を結ぶ方向を前後方向と呼ぶ。また、その正面から見て機械室Ｍが位置する方向を右側、ファン室Ｆが位置する方向を左側とし、右側と左側を結ぶ方向を左右方向と呼ぶ。また、正面側を前方や前側、背面側を後方や後ろ側、右側を右方向、左側を左方向と説明する場合もある。
【００２９】
ファン室Ｆ中央の正面寄りには、送風ファン１０が設置される。送風ファン１０はプロペラファンであり、図７に示すように、室外機１００の背面側に開口してモータ軸１３（図４参照）を嵌挿する軸孔を中心に有した円筒状のボス１１と、このボス１１の外周面に周方向に等間隔を空けて配置された複数の翼１２とから構成される。この送風ファン１０は、３枚の翼１２を有している。ボス１１と翼１２は、樹脂にて一体成形される。送風ファン１０は、後述するファンモータ１５の回転駆動力により、モータ軸１３を介して、図中ω方向で示す翼１２の後縁方向へと回転し、回転することで、翼１２の後方から前方へと向かう空気流を生成する。この空気流が熱交換器３０を通過し、ファン室正面パネル３の吹出口３ａから外部へと吹き出る。
【００３０】
図５において、符号Ｌを付した一点差線は、円筒状のボス１１の中心軸線を表すとともに、送風ファン１０の回転軸線である。送風ファン１０は、回転軸線Ｌを中心にω方向に回転する。送風ファン１０を回転させるファンモータ１５の回転駆動力を送風ファン１０に伝達するモータ軸１３の軸線も、回転軸線Ｌに一致し、モータ軸１３も回転軸線Ｌを中心にω方向に回転する。
【００３１】
モータ軸１３は、室外機１００の前後方向にその軸線を伸ばしており、熱交換器３０の長辺部３１に対してほぼ垂直となる。円筒状のベルマウス３ａは、その中心線が回転軸線Ｌにほぼ一致し、送風ファン１０の翼１２の前方部分の外周を囲って、吹出空気流を吹出口３ａに案内する。
【００３２】
これより、この実施の形態で示す室外機１００の特徴的な構成となるファンモータ支持部材２０の配置について説明する。ここで、図４に示すように、熱交換器３０の長辺部３１の後端（背面側の端面で、実際には薄板状フィン３４の背面側の端となる）を上流端３１ａ、長辺部３１の前端（正面側の端面で、実際にはフィン３４の正面側の端となる）を下流端３１ｂと定義する。長辺部３１においては、送風ファン１０の回転によって生成される空気流は、並列するフィン３４間を上流端３１ａから下流端３１ｂに向かって流れて熱交換器３０を通過し、吹出口３ａから吹き出される。
【００３３】
図４に示すように、この室外機１００では、熱交換器３０の長辺部３１の下流端３１ｂと送風ファン１０との間には、モータ軸１３は存在するが、ファンモータ１５およびファンモータ１５を支持するファンモータ支持部材２０（以後、単に支持部材２０と表現する場合もある）は存在しない。ファンモータ支持部材２０およびファンモータ１５は、位置としては、熱交換器３０の長辺部３１の後方に、送風ファン１０によって生成される空気流で言えば、熱交換器３０の長辺部３１よりも上流側に配置されている。
【００３４】
ファンモータ１５を熱交換器長辺部３１の上流側に位置させるために、そのファンモータ１５を所定の位置に固定して保持するファンモータ支持部材２０を、図４や図５に示すように、熱交換器長辺部３１の上流端３１ａよりも後方に、すなわち熱交換器長辺部３１の上流側に位置させている。なお、図４においては、図３に図示されている支持部材２０のフック２３（詳細は後述）の図示を省略している。このように、ファンモータ１５とそれを保持するファンモータ支持部材２０を、熱交換器長辺部３１の下流端３１ｂと送風ファン１０との間には設置せず、熱交換器長辺部３１の上流端３１ａよりも後方（背面側）に、すなわち熱交換器長辺部３１の上流側に設置している構成が、この室外機１００の特徴である。
【００３５】
このような構成を実現させるために、図６に示すように、熱交換器長辺部３１の後方に室外機１００本体の上下端部に跨がるような板状のファンモータ支持部材２０を設置し、この支持部材２０に、熱交換器長辺部３１の後方に位置するようにファンモータ１５を取り付けている。ファンモータ支持部材２０は、熱交換器長辺部３１の上流端３１ａとは所定寸法Ｋの隙間（図３参照）を空けて設置されており、ファンモータ１５は、ファンモータ支持部材２０から熱交換器長辺部３１側へと突出しないように、支持部材２０に取り付けられている。
【００３６】
ファンモータ支持部材２０は、板金製の一体板状部品であり、図８の単体斜視図に示すように、左右方向の両端部にそれぞれ位置して上下方向に伸びる２本の支柱２１と、それら支柱２１の上下方向略中央の位置で左右の支柱２１間に跨がって形成されるモータ固定板２２（以降、単に固定板２２と表現する場合もある）と、この固定板２２の上方と下方のそれぞれにて固定板２２とは所定の距離を隔てた位置で、支柱２１間を左右方向に跨がる横リブ２５と、左右方向の略中央で、固定板２２の上方と下方のそれぞれにて横リブ２５と固定板２２とを上下方向に跨がる縦リブ２６と、を有している。
【００３７】
固定板２２は、ファンモータ１５を取り付けてボルト固定する箇所であり、その略中央には、ファンモータ１５の外径よりも少しばかり大きな内径を有して、ファンモータ１５の外周と嵌り合うモータ嵌入穴２４が形成されている。モータ嵌入穴２４の周囲には、複数（ここでは４つ）のモータ用ねじ穴２７が設けられている。また、支柱２１の上端部には、支柱２１に外被せ状態にされる天面パネル２のフランジ部２ａとボルト締結するためのねじ穴２９がそれぞれ設けられている。
【００３８】
また、支柱２１の下端部には、底板１のフランジ部１ｂにその背面側で重なって、支柱２１をフランジ部１ｂにボルト締結するための固定ボルト１９が挿通するボルト穴２８がそれぞれに設けられている。横リブ２５と縦リブ２６は、板状部品である支持部材２０の剛性を高めるために設けられている。
【００３９】
支柱２１の上端面には、左右それぞれに位置する支柱２１に跨がるとともに、正面側へと略水平に突き出て、その突端部分が下方へと約９０度折れ曲がったフック２３が形成されている。フック２３の突端（前端）に形成される折曲部２３ａと支柱２１との前後方向の間隔は、熱交換器長辺部３１の前後方向の幅、すなわち上流端３１ａから下流端３１ｂまでの水平距離よりも少しばかり大きい長さとなっている。
【００４０】
次に、この室外機１００の組み立て方法について説明する。底板１に熱交換器３０が固定された状態にて、ファンモータ支持部材２０を、フック２３が熱交換器長辺部３１の上端に掛かるように、併せて支柱２１の下端部にあるボルト穴２８が底板１の背面側に位置するフランジ部１ｂに形成されているねじ穴（図示せず）に重なるように位置させる。そして、ボルト穴２８に固定ボルト１９を挿通させて、左右２本の支柱２１と底板フランジ部１ｂとを固定ボルト１９で締結固定させる。この状態において、支持部材２０は、下端部が底板フランジ部１ｂに固定され、上端部ではフック２３が熱交換器長辺部３１に引っ掛かって仮固定されている。
【００４１】
ファンモータ１５には、予めモータ軸１３の一端が回転支持されるように接続されており、ファンモータ１５からモータ軸１３の他端側が突出した状態であり、すでに熱交換器長辺部３１の背面側で直立しているファンモータ支持部材２０の後方から、そのモータ嵌入穴２４に、モータ軸１３を他端側の突端から挿通させ、モータ軸１３はそのまま熱交換器長辺部３１に形成した貫通路３６（詳細は後述する）を貫通させるようにして、その後にファンモータ１５の前端部分の外周をモータ嵌入穴２４に嵌め合わせ、ファンモータ取付脚１６の前端面をモータ固定板２２に接触させる。このとき、ファンモータ１５の前端は、ファンモータ支持部材２０から熱交換器長辺部３１側に突出していない。
【００４２】
また、併せて、複数の取付脚１６のそれぞれに取付脚１６を貫通して設けられたボルト穴（図示せず）が、モータ固定板２２に設けられたモータ用ねじ穴２７と重なるようにして、ファンモータ１５の周方向位置を定める。この状態では、モータ軸１３の他端側のみが熱交換器長辺部３１を貫通して、下流端３１ｂより空気流における下流側に突き出ている。そして、それぞれの取付脚１６のボルト穴に固定ボルト１９を挿通しモータ用ねじ穴２７とねじ結合させて、ファンモータ１５をモータ固定板２２にボルト固定する。これにより、ファンモータ１５の取り付けを完了する。
【００４３】
なお、モータ嵌入穴２４をファンモータ１５の外径よりも小さく、モータ軸１３の外径よりも大きい内径とし、ファンモータ１５と取付脚１６の前端面を平坦状に、もしくは取付脚１６が前側に突出するようにして、ファンモータ１５をモータ嵌入穴２４に嵌合させずに、ファンモータ１５全体を支持部材２０の背面側に位置させて固定板２２に取り付けてもよい。この場合は、モータ軸１３だけがモータ嵌入穴２４を通過することになる。
【００４４】
モータ軸１３が熱交換器長辺部３１を前後方向に貫通できるように、すなわち、ファンモータ１５に一端が接続されたモータ軸１３が、熱交換器長辺部３１を空気流における上流側から下流側にかけて貫通できるように、熱交換器長辺部３１には、予めモータ軸１３を通す貫通路３６を設けておく。図９は、その貫通路３６およびモータ軸１３と貫通路３６の関係を説明するための説明用模式図である。
【００４５】
図９に示すように、貫通路３６は、もともと所定の寸法Ｅの間隙でほぼ等間隔に並列しているフィン３４間のある一つの間隙を、上下方向（フィン３４の長手方向）の所定の範囲だけその間隙が広がるように、その間隙を境にしてそれぞれ左右に位置する複数のフィン３４をそれぞれ左右方向に、すなわち間隙が広がる方向に湾曲させ、当該間隙を略円形状に拡大させることで形成する。貫通路３６は、回転するモータ軸１３がフィン３４と接触することがない十分な大きさに形成する。モータ軸１３が断面円形であるので、ここに示す貫通路３６も概ね上下方向の断面が円形状になるように形成している。貫通路３６の断面形状は円形にこだわらなくてもよい。
【００４６】
貫通路３６形成のために、特定の１箇所のフィン３４間の間隙を所定の高さ（上下方向の長さ）だけ強制的に拡大させるので、貫通路３６近傍に並列する複数のフィン３４では、その貫通路３６の左右に位置する部分で、隣り合うフィン３４間同士の間隙が、貫通路３６の形成の影響を全く受けていないフィン３４間の通常の間隙寸法Ｅよりも小さい、もしくは隣り合うフィン３４間同士が接触している状態となる。図９では、貫通路３６のために湾曲しているフィンが、左右それぞれ２枚ずつであるが、模式図として簡略化しているだけであり、それぞれ２枚よりももっと多い枚数のフィン３４が湾曲し、それらの間隙が部分的に狭まっている。
【００４７】
熱交換器長辺部３１に貫通路３６を形成するのは、熱交換器３０単体の状態のときでもよいし、熱交換器３０を底板１に固定した後であってもよい。先端が間隙寸法Ｅよりも小さい外径であり、錘状にその外径が大きくなっていき、最終的にモータ軸１３外径よりも大きい貫通路３６の内径に相当する外径を有する円柱状となって、その円柱状部分を熱交換器長辺部３１の前後方向幅よりも長く有するような貫通路形成治具を、貫通路３６を形成する部分のフィン３４間の間隙に、その先端から挿入させ、貫通路３６の内径に相当する外径を有する円柱状部分が、反対側に突き出てくるまで押し込むことで、貫通路３６が形成できる。
【００４８】
なお、貫通路３６を形成するにあたっては、フィン３４を水平方向に貫通しながら上下方向に複数列を成している伝熱管３５のその列間のすきまよりも貫通路３６の上下方向寸法を大きくしなければならない場合もある。その場合には、図９に一点差線で示すように、貫通路３６が形成される箇所を横切ることになる伝熱管３５を１本もしくは複数本抜かして、その上下に位置する伝熱管３４を熱交換器３０の両側にて折り返し接続するように構成することで、貫通路３６を形成するスペースを確保することができる。
【００４９】
熱交換器３０に形成された貫通路３６を通過して、モータ軸１３の他端側のみが熱交換器長辺部３１からその前方へ、すなわち熱交換器長辺部３１の下流域へと突き出た状態から、次に、その突き出たモータ軸１３の他端側に送風ファン１０を装着する。モータ軸１３の他端側の先端部をボス１１の内部に形成されている軸孔に嵌合させ、モータ軸１３と送風ファン１０が同期回転するようにボス１１と連結させる。これらの連結は、キーを用いた結合であっても、モータ軸１３の先端部をねじ加工し、ボス１１の正面部分から突き出させて、そこにナットを締結することで結合させるようにしてもよい。
【００５０】
送風ファン１０をモータ軸１３に取り付けた後で、ファン室正面パネル３を底板１に固定する。そうすれば、ベルマウス３ｂが送風ファン１０の翼１２の前方部分の外周を囲うようになる。最後に、天面パネル２を室外機１００本体の上部に被せるが、このとき、天面パネル２のフランジ部２ａが、ファンモータ支持部材２０の支柱２１の背面側に位置する外被せ状態にする。このとき、フランジ部２ａに形成されたボルト穴（図示せず）が、支柱２１のねじ穴２９と重なり、固定ボルト１９により、天面パネルフランジ部２ａと左右２本の支柱２１とを締結させる。これにより、フック２３によって仮固定状態だった支持部材２０の上端部もしっかりと固定される。
【００５１】
図６では図示を省略しているが、天面パネル２は、支持部材２０が位置する箇所で、支持部材２０の左右幅に相当する幅だけ、背面側に突出するような形状にしたり、左右２本の支柱２１が位置する２箇所のそれぞれで、支柱２１の左右幅に相当する幅だけ、背面側に突出するような形状にしたりすることにより、底板フランジ部１ｂの後方に位置することになる支持部材２０の支柱２１に対して外被せ状態にすることができる。このように、ファンモータ支持部材２０は、熱交換器長辺部３１の後方にて、支柱２１が底板１のフランジ部１ｂと、天面パネル２のフランジ部２ａに跨がって固定される。以上により、ファンモータ支持部材２０およびそれに固定されるファンモータ１５を、熱交換器長辺部３１の後方（背面側）、すなわち熱交換器長辺部３１の空気流における上流側に設置することが可能となる。
【００５２】
続いて、上記したようにファンモータ支持部材２０およびファンモータ１５を熱交換器長辺部３１の後方に配置した室外機１００の作用効果について説明するが、説明をわかり易くするために、従来の室外機と対比させて説明する。まず、図１０は、熱交換器長辺部３１と送風ファン１０との間に、ファンモータ支持部材２０およびそれに取り付け固定されるファンモータ１５が位置する従来の室外機を示す説明用の模式図であり、本発明の実施形態を示す室外機１００と同一または相当する部分には同じ符号を付している。
【００５３】
図１０に示すような従来の室外機では、先に述べたとおり、ファンモータ支持部材２０の下流側領域とファンモータ支持部材２０のない領域とでは、送風ファン１０に向かって流れる空気流に大きな速度差が生じることとなる。ファンモータ支持部材２０のない領域の方が流速が速い。そのため、ファンモータ支持部材２０のない領域を流れる空気流の一部が、ファンモータ支持部材２０の下流側へと流れ込む際に、そこに大きな渦Ｓが発生する。渦Ｓは、発生位置から送風ファン１０の翼１２に至るまでの距離が短く、またファンモータ支持部材２０と送風ファン１０の翼１２との間で渦Ｓを破壊するようなものが存在しないので、渦Ｓは空気流に混入して翼１２へと流入することとなる。渦Ｓは空気流に対して圧力が低いので、空気流に大きな渦Ｓによる負圧域が生じていることとなり、翼１２の表面に大きな大きな圧力変動が生じ、そのため騒音が発生していた。
【００５４】
しかし、この実施の形態に示す室外機１００では、ファンモータ支持部材２０を熱交換器長辺部３１の後方に、すなわち送風ファン１０へと向かう空気流に対して熱交換器長辺部３１よりも上流側に位置させている。図１１は、この室外機１００におけるファンモータ支持部材２０周辺の熱交換器３０を通過する空気流を説明するための模式図である。図１０に示した従来室外機と同様に、ファンモータ支持部材２０の下流側領域とファンモータ支持部材２０のない領域との速度差から、ファンモータ支持部材２０の下流側領域には渦Ｓが発生する。
【００５５】
しかし、ファンモータ支持部材２０の下流域に生じた渦Ｓは、送風ファン１０へと向かう空気流に運ばれる過程で、熱交換器３０を通過することになる。そのため、通過する際に渦Ｓは、熱交換器３０のフィン３４や伝熱管３５によって分断される。なお、ここでは図示を省略しているが、金属製のフィン３４に伝熱管３５が貫通する穴を形成する際にバーリング加工によりフィンカラーと呼ばれる円筒状の切り起こしを形成させており、実際にはフィン３４間では、伝熱管３５は露出しておらずそのフィンカラーが伝熱管３５の外周を覆っている。そのため、正確には渦Ｓは伝熱管３５とは接触するのではなく、そのフィンカラーと接触することになる。ここでは、このフィンカラーに接して分断されることを、伝熱管３５によって分断されると表現しておく。
【００５６】
また、フィン３４の上下方向において、伝熱管３５が貫通する穴と穴の間には、通過する空気との熱交換面積増加のために、矩形状に切り起こしたスリット（図示せず）が形成されることが多く、渦Ｓは、そのスリットの切り起こし片によっても分断される。
【００５７】
渦Ｓは上記のようにフィン３４や伝熱管３５に直接的にぶつかって分断される場合だけでなく、フィン３４や伝熱管３５との摩擦によってもその勢いが弱められる。よって、熱交換器長辺部３１を通過後の下流端３１ｂの下流域では、ファンモータ支持部材２０の下流域に生じた渦Ｓは、熱交換器長辺部３１を通過することによって、フィン３４や伝熱管３５で分断されたり、それらとの摩擦によって衰退したりして、消滅してしまっているか、もしくは発生時の大きさに比べて十分に小規模なものになっている、すなわち空気流に対する圧力低下度合い（負圧の程度）が大幅に小さくなっている。
【００５８】
さらに、熱交換器３０の通過では消滅まではしないで小規模化された渦も、下流端３１ｂから送風ファン１０の翼１２までの距離が、図１０の従来室外機におけるファンモータ支持部材２０と翼１２との距離に比べて十分に長いので、下流端３１ｂから翼１２に流入するまでの間に、空気流との摩擦によってさらに弱められ、もっと小さくなったり、消滅したりすることとなる。
【００５９】
熱交換器長辺部３１を通過後の空気流についても、ファンモータ支持部材２０の下流領域と上流側にファンモータ支持部材２０のない領域とで、空気流の速度差が生じてしまうことは否めない。しかし、ファンモータ支持部材２０のすぐ下流の領域、すなわちファンモータ支持部材２０と熱交換器長辺部３１との寸法Ｋなる隙間での空気流の流速とファンモータ支持部材２０ない領域で熱交換器長辺部３１に流れ込む直前の空気流の流速との速度差に比べれば、モータ支持部材２０から距離があって、寸法Ｋなる隙間へと流れ込む空気流や、さらに上下方向（フィン３４の長手方向）にフィン３４間を通ってモータ支持部材２０の下流域へと入り込んでくる空気流もあることにより、その速度差は小さいものとなる。
【００６０】
そのため、熱交換器長辺部３１を通過後の空気流の速度差によって生じる渦は、熱交換器長辺部３１の上流側で生じる渦Ｓに比べれば小さく、さらにそこで生じた渦も、熱交換器長辺部３１の通過により渦Ｓが小規模化された渦と同様に、送風ファン１０までの距離が長いので、翼１２に流入するまでの間に、空気流との摩擦によって弱められより小さくなったり、消滅したりすることとなる。
【００６１】
したがって、この室外機１００では、送風ファン１０の翼１２へは、渦がほとんど混入していない、もしくは混入していたとしても小規模な、すなわち空気流に対しての圧力低下の度合いが小さな渦となることから、翼１２へと流入する空気流の圧力を安定的にすることができる、もしくは翼１２へと流入する空気流の圧力変動を非常に小さく抑えることができるので、送風ファン１０の翼１２へ流入する空気流の圧力変動によってもたらされる騒音の発生を防ぐことができ、従来室外機に比べて低騒音な室外機となる。
【００６２】
ただし、この室外機１００では、図１０に示す従来室外機と比べると、一端がファンモータ１５に回転支持されたモータ軸１３の他端側で送風ファン１０を片持ち支持するこちとになる当該モータ軸１３の長さ、すなわちファンモータ１５の下流端（前端）から送風ファン１０のボス１１に至るまでの距離が長くなる。そのため、室外機１００のモータ軸１３が、図１０に示す従来室外機におけるモータ軸１３と同等の剛性のままであれば、モータ軸１３のたわみ剛性が不足して、送風ファン１０の安定した回転が得られなくなる恐れが生じる。
【００６３】
そこで、この室外機１００のモータ軸１３は、従来室外機のモータ軸１３に比べて軸径を大きくして剛性を高めている。軸径を大きくするだけでなく、軸材料をより弾性率の高い材料に変えても剛性を高められる。軸材料を弾性率の高い材料に変えて、かつ軸径を大きくすればたいへん有効である。いずれにしても、片持ち支持する送風ファン１０が安定した回転ができるまで剛性を高める必要がある。
【００６４】
次に、熱交換器長辺部３１の上流端３１ａとファンモータ支持部材２０との隙間の幅寸法Ｋについて述べる。この寸法Ｋが小さいと、熱交換器長辺部３１と支持部材２０が近接することで、熱交換器３０に阻害されて上流端３１ａとファンモータ支持部材２０との隙間に大きな渦Ｓができにくくなるが、上流端３１ａと支持部材２０との隙間への空気流の流れ込みも少量となるため、支持部材２０の下流領域とそうでないエリアとで、熱交換器長辺部３１通過した空気流の速度差が大きくなり、熱交換器長辺部３１を通過後に比較的大きめな渦が生じてしまう恐れがある。
【００６５】
仮にそうであっても、先に述べたように、渦の発生箇所から送風ファン１０の翼１２までの距離が長いので、翼１２に流入するまでの間に空気流との摩擦によってその渦も弱められ小さくなる、場合によっては消滅するので、それでも図１０の従来室外機に比べれば、翼１２へ流入する空気流の圧力変動を小さく抑えることはできる。
【００６６】
しかし、渦の発生は可能な限り防止しておくのがよいので、上流端３１ａとファンモータ支持部材２０との隙間の幅寸法Ｋはなるべく大きく確保して、支持部材２０の下流領域とそうでないエリアとにおける熱交換器長辺部３１を通過した空気流の速度差をできるだけ小さくすることが望ましい。しかし、寸法Ｋをあまり大きくすると、室外機１００本体からの背面側への出っ張り量が大きくなり、室外機１００の梱包や積載が容積的に非効率になることが考えられる。そのため、隙間寸法Ｋは、少なくともフィン３４間の間隙寸法Ｅよりは大きくするものとして、この室外機１００では、寸法Ｋを概ね寸法Ｅの４倍に確保している。
【００６７】
以上のように、一端がファンモータ１５に接続されるモータ軸１３に熱交換器長辺部３１を空気流における上流側から下流側にかけて貫通させ、ファンモータ支持部材２０およびその支持部材２０に保持されるファンモータ１５を、熱交換器長辺部３１の後方に、すなわち空気流における熱交換器長辺部３１の上流端３１ａよりも上流側に位置させ、送風ファン１０を熱交換器長辺部３１の下流側に突き出たモータ軸１３の他端側に装着し熱交換器長辺部３１の下流側に位置させたことにより、送風ファン１０の翼１２へ、渦が混入していない、もしくはたとえ混入していたとしても、空気流に対する圧力低下の度合いが小さい小規模な渦とさせることができるので、翼１２へと流入する空気流の圧力変動を非常に小さく抑えることができ、よって空気流の圧力変動によってもたらされる騒音の発生を防ぐことができ、低騒音な冷凍サイクル装置の室外機が得られる効果がある。
【００６８】
実施の形態２．
上記の実施の形態１に示す室外機１００では、ファンモータ１５をファンモータ支持部材２０より前方へ、すなわち熱交換器長辺部３１側へと突出させないように構成した。このため、熱交換器長辺部３１の背面側に位置している板状の支持部材２０から、その中央部分でファンモータ１５がさらに後方へと突出する出っ張り幅が大きい。
【００６９】
このように、おおよそ長方体を呈する室外機１００本体から、後方へ出っ張り幅の大きい部分的な突出部となるファンモータ１５があると、この室外機１００を梱包するに際し、出っ張ったファンモータ１５を保護するために、梱包材を大きくする必要が生じる。そのため、梱包された室外機１００の保管や搬送に際し、これらを積載する場合に、より大きなスペースが必要となってくる。そこでこの実施の形態２では、翼１２へと流入する空気流の圧力変動を小さく抑えつつ、ファンモータ１５の後方への出っ張り幅をなるべく小さくする構成の室外機２００について説明する。
【００７０】
図１２は、この実施の形態２を示す空気調和機（冷凍サイクル装置）の室外機２００の天面パネル２と側面パネル６を取り外した状態での上面図であり、先に述べた実施の形態１における図４と対比させている。なお、この室外機２００において、上述した実施の形態１を示す室外機１００と同一または相当する部分には同じ符号を付してその説明は省略する。
【００７１】
図１２に示すように、この室外機２００では、ファンモータ１５が、ファンモータ支持部材２０のモータ嵌入穴２４を貫き、その前側の一部分が、支持部材２０より前方に突出し、さらに熱交換器長辺部３１にその上流端３１ａ側から入り込んでいる。このため、支持部材２０から後方へと突出するファンモータ１５の出っ張り幅が、実施の形態１の室外機１００に比べて小さく抑えられる。
【００７２】
熱交換器長辺部３１へファンモータ１５が入り込む穴は、実施の形態１の室外機１００における貫通路３６（図９参照）と同様な方法で、室外機１００の貫通路３６よりも上下方向（フィン３４の長手方向）に長い範囲で、間隙をより拡大させることで形成する。ファンモータ１５の外径はモータ軸１３の軸径より大きいため、ファンモータ１５が入り込める貫通路３６を形成するためには、上下方向に伝熱管３５を抜く本数が増加することになる。
【００７３】
ファンモータ１５の前方を流れる空気流とファンモータ１５より外側を流れる空気流との速度差によって渦が生じる恐れがあるため、ファンモータ１５の前端から送風ファン１０の翼１２までの距離をできる限り長くして、ファンモータ１５の前方に生じた渦を、翼１２に至るまでに、空気流との摩擦により小規模化させる、もしくは消滅させるようにするのがよい。そのため、ファンモータ１５が熱交換器長辺部３１を貫通して、下流端３１ｂよりも前方へ突出するような形態では、その突出幅が大きいと、ファンモータ１５の前方に生じた渦が、空気流との摩擦によって十分に弱まるまでの距離が確保できずに、その渦が混入することによる空気流の圧力変動によって騒音が発生しかねない。
【００７４】
そのため、ファンモータ１５は、熱交換器長辺部３１を貫通しないように熱交換器長辺部３１に入り込ませる、言い換えれば、上流端３１ａから熱交換器長辺部３１に入り込ませたファンモータ１５を、熱交換器長辺部３１の下流端３１ｂから前方のファン室Ｆ内に突出させないようにすることがよい。
【００７５】
図１２に示す寸法Ｂは、ファンモータ１５の前端が下流端３１ｂから後方へどれくらい進んだ位置にあるか、その距離（前後方向の距離）を表しており、下流端３１ｂを基準にそれより後方に位置している場合が正、前方に突出している場合が負の値を示すものである。ファンモータ１５の前端から送風ファン１０の翼１２までの距離をできる限り長くするために、寸法Ｂは正の値として大きくすることが望ましく、図１２に示すように、この室外機２００は、Ｂ≧０としている。
【００７６】
寸法Ｂが正の値として大きければ大きいほど、ファンモータ１５がファンモータ支持部材２０の後方へ突出する出っ張り幅が大きくなることになるので、ファンモータ１５の前方に発生する渦に起因した送風ファン１０の騒音が発生しないレベルの最小の寸法Ｂを実機試験等により見つけ出し、翼１２へ流入する空気流の圧力変動を小さく抑えて、空気流の圧力変動によってもたらされる騒音の発生を防ぎ、かつ、ファンモータ１５の後方への出っ張り幅をなるべく小さくするようにするのがよい。
【００７７】
以上のように、ファンモータ支持部材２０を、熱交換器長辺部３１の後方に、すなわち熱交換器長辺部３１の上流端３１ａよりも上流側に設置するとともに、その支持部材２０に保持されるファンモータ１５を、その支持部材２０より熱交換器長辺部３１の方向へ突出させ、熱交換器長辺部３１を貫通しない程度に熱交換器長辺部３１の上流端３１ａ側から熱交換器長辺部３１に入り込ませたことにより、送風ファン１０の翼１２へ渦が混入していない、もしくは混入していたとしても、空気流に対する圧力低下の度合いが小さな小規模な渦となるので、翼１２へと流入する空気流の圧力変動を小さく抑えて、空気流の圧力変動によってもたらされる騒音の発生を防ぐことができるとともに、熱交換器長辺部３１の背面側におけるファンモータ１５の後方への出っ張り幅を小さく抑えることができ、低騒音であり、かつ積載スペースの容積拡大を低く抑えられる冷凍サイクル装置の室外機が得られる効果がある。
【００７８】
実施の形態３．
上記の実施の形態１に示す室外機１００、および実施の形態２に示す室外機２００では、熱交換器長辺部３１の背面側に位置するファンモータ支持部材２０に固定されたファンモータ１５に一端を回転支持され、他端側がファンモータ１５の前方へと伸びるモータ軸１３が、その他端側の先端部に送風ファン１０を片持ち支持していた。ファンモータ１５から送風ファン１０までの水平距離が従来室外機（図１０参照）よりも長いため、モータ軸１３の軸径を従来室外機の場合より大きくしたり、軸材料を高弾性率の材料に変更したりしてモータ軸１３の剛性を高め、送風ファン１０の安定した回転を得ていた。
【００７９】
この実施の形態３では、実施の形態１や２のように、熱交換器長辺部３１の後方にファンモータ支持部材２０を位置させた構成でありながら、従来室外機に比べ、ことさらモータ軸１３の剛性を高めなくても、送風ファン１０の安定した回転が得られる室外機３００について説明する。
【００８０】
図１３は、この実施の形態３を示す空気調和機（冷凍サイクル装置）の室外機３００の天面パネル２と側面パネル６を取り外した状態での上面図であり、先に述べた実施の形態１における図４と対比させているが、この図１３では、さらにベルマウス３ｂの図示も省略している。また、図１４は、図１３に示す室外機３００の説明用斜視図であり、一部の図示を省略している。なお、この室外機３００において、上述した実施の形態１を示す室外機１００と同一または相当する部分には同じ符号を付してその説明は省略する。
【００８１】
図１３に示すように、この室外機３００では、モータ軸１３が送風ファン１０のボス１１を貫通して、ボス１１の前方に突き出て、その突き出た先端部が、図１４に示すように、吹出グリル８のほぼ中央に設けられた軸受ボス１７に装着されている軸受１８に嵌合している。軸受１８はここでは玉軸受を用いているが、コロ軸受や、含油すべり軸受であってもよい。この軸受１８がモータ軸１３のボス１１から前方へ突き出た先端部を支持し、モータ軸１３は、ファンモータ１５と軸受１８とでその両端が回転支持されることになるので、送風ファン１０を片持ち支持でなく、両持ち支持することができる。
【００８２】
このため、送風ファン１０の重量によるモータ軸１３のたわみ変形が抑制されるので、モータ軸１３の剛性を高めなくても、モータ軸１３は振れまわることなく安定的に回転し、送風ファン１０の安定した回転が得られる。また、モータ軸１３の剛性を高めながら、かつ同様な送風ファン１０の両持ち支持構造とすれば、重量が大となる翼面積大の送風ファンや翼枚数の多い送風ファンの適用も可能となり、同じ風量を得るための回転数を低く抑えられるので、より低騒音化が図れることとなる。
【００８３】
このようなモータ軸１３の両端支持による送風ファン１０の両持ち支持構造を達成するために、この室外機３００では、モータ軸１３と送風ファン１０のボス１１の軸孔とは、モータ軸１３の外周とボス１１の軸孔の内周とにそれぞれ設けたキー溝に、両キー溝に跨るように別体のキーを嵌入させるキー結合によって結合させて、モータ軸１３と送風ファン１０の同期回転を得ており、モータ軸１３はそのまま軸孔を通ってボス１１の前面からさらに前方へとその先端部が突出する。
【００８４】
突出した先端部が嵌合され、それを回転支持する軸受１８は、図１４に示すように、樹脂製の吹出グリル８のほぼ中央に、複数の桟により格子状に形成されて通風可能なグリル部と一体成形される軸受ボス１７に背面側を臨むように圧入固定されている。なお、図１４では、軸受１８等の説明をわかり易くするために、側面パネル６、熱交換器３０の短辺部３２およびコーナー部３３、そして送風ファン１０の図示を省略している。
【００８５】
この室外機３００は、送風ファン１０のボス１１から正面側へと突き出たモータ軸１３の先端部に、吹出グリル８の軸受ボス１７に予め圧入固定した軸受１８を嵌合させながら、吹出グリル８をファン室正面パネル３に固定することにより、モータ軸１３の両端支持による送風ファン１０の両持ち支持構造が達成される。
【００８６】
軸受１８を固定する正面視が略円形状の軸受ボス１７は、送風ファン１０のボス１１と同心であり、その軸線は回転軸線Ｌに一致している。さらに、軸受ボス１７の外径は、送風ファン１０のボス１１の外径よりも小さい構成となっている。軸受ボス１７を形成することで、軸受ボス１７の面積分だけ、吹き出しグリル８の吹き出し空気が通過する面積が低減されることになってしまうが、もともと吹き出し空気の流量がきわめて少量な送風ファン１０のボス１１の正面側に、そのボス１１の外径よりも小さい径でボス１１と同心で軸受ボス１７を設けることで、軸受ボス１７の設置によって吹出グリル８の通風面積が減少しても、吹き出し空気の流量の低減を招かず、送風ファン１０の送風効率が低下しないようにしている。
【００８７】
図１３に示す室外機３００は、実施の形態１に示すファンモータ１５がファンモータ支持部材２０よりも前方に突出しない室外機１００に対して、モータ軸１３を両端支持として送風ファン１０を両持ち支持するようにしているが、この実施の形態３で示すモータ軸１３の両端支持による送風ファン１０を両持ち支持構造は、実施の形態２に対して適用しても、実施の形態１に適用させた室外機３００と同様な効果が得られる。
【００８８】
以上のように、ファンモータ支持部材２０を、熱交換器長辺部３１の後方に設置するとともに、モータ軸１３に送風ファン１０のボス１１を貫通させて、その突き出た先端部に、吹出グリル８に固定されている軸受１８と嵌合させ、モータ軸１３をその両端で回転支持されるようにして、送風ファン１０を両持ち支持する構造としたことにより、翼１２へと流入する空気流の圧力変動を小さく抑えて、空気流の圧力変動によってもたらされる騒音の発生を防ぐことができるとともに、仮に送風ファン１０が大型なものであっても、回転ぶれ等がない安定した送風ファン１０の回転が得られる効果がある。
【００８９】
ここまで説明した本発明の実施の形態１〜３は、いずれも空気調和機の室外機を用いて説明してきた。ただし、例えば、ヒートポンプ給湯機の熱源機における空気と熱交換して冷媒を蒸発させる蒸発器を担う熱交換器とそれに空気流を送る送風ファンとの部分にも、本発明が適用でき、同様な効果を得ることができる。このように、本発明は、空気調和機の室外機だけでなく、熱交換器と、この熱交換器を通過する空気流を生成する送風ファンとを有して屋外に設置される冷凍サイクル装置の室外機に適用可能である。
【符号の説明】
【００９０】
１  底板、１ａ  脚部、１ｂ  フランジ部、２  天面パネル、２ａ  フランジ部、３  ファン室正面パネル、３ａ  吹出口、３ｂ  ベルマウス、４  機械室正面パネル、５  機械室背面パネル、６  側面パネル、６ａ  通風孔、７  仕切板、８  吹出グリル、９  圧縮機、１０  送風ファン、１１  ボス、１２  翼、１３  モータ軸、１５  ファンモータ、１６  取付脚、１７  軸受ボス、１８  軸受、１９  固定ボルト、２０  ファンモータ支持部材、２１  支柱、２２  モータ固定板、２３  フック、２４  モータ嵌入穴、２５  横リブ、２６  縦リブ、２７  モータ用ねじ穴、２８  ボルト穴、２９  ねじ穴、３０  熱交換器、３１  長辺部、３１ａ  上流端、３１ｂ  下流端、３２  短辺部、３３  コーナー部、３４  フィン、３５  伝熱管、３６  貫通路、Ｆ  ファン室、Ｍ  機械室。
【図１】
0005257483.tif 000002
【図２】
0005257483.tif 000003
【図３】
0005257483.tif 000004
【図４】
0005257483.tif 000005
【図５】
0005257483.tif 000006
【図６】
0005257483.tif 000007
【図７】
0005257483.tif 000008
【図８】
0005257483.tif 000009
【図９】
0005257483.tif 000010
【図１０】
0005257483.tif 000011
【図１１】
0005257483.tif 000012
【図１２】
0005257483.tif 000013
【図１３】
0005257483.tif 000014
【図１４】
0005257483.tif 000015